【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
表示手段と、
入力手段と、
画像圧縮伸張処理プログラムの動作により処理される画像と、前記入力手段による入力に対応する、前記画像圧縮伸張処理プログラムの動作を制御するための制御内容とを前記表示手段に表示させる第１の表示制御手段と、
無線により着信を検出する着信検出手段と、
前記第１の表示制御手段によって前記表示手段が制御されているときに、前記着信検出手段によって着信が検出されると、前記第１の表示制御手段によって表示されている制御内容を当該着信検出に対応する制御内容に変更する変更手段と、
この変更手段によって変更された制御内容に対応して、前記入力手段による入力を検出すると、この検出された入力に対応する前記変更された制御内容に基づいて、前記画像圧縮伸張処理プログラムの動作を制御する制御手段と
を備えたことを特徴とする携帯電話。
【請求項２】
撮像手段を更に備え、
前記画像圧縮伸張プログラムは、その動作により前記撮像手段によって撮像された画像を処理することを特徴とする請求項１に記載の携帯電話。
【請求項３】
前記制御手段による制御内容は、前記撮像手段による撮像動作を中断させる制御内容を含み、
前記制御手段によって撮像動作が中断されるまでの前記撮像動作による撮像データを記憶する記憶手段を更に備えたことを特徴とする請求項２に記載の携帯電話。
【請求項４】
前記着信検出手段は音声着信を検出し、
前記変更された制御内容は、音声通話処理に対応する制御内容を含むことを特徴とする請求項１乃至３の何れかに記載の携帯電話。
【請求項５】
前記着信検出手段によって着信が検出されると、この検出された着信に対応する発信者情報を前記画像と共に表示するよう前記表示手段を制御する第２の表示制御手段を更に備えたことを特徴とする請求項１乃至４の何れかに記載の携帯電話。
【請求項６】
前記制御手段による制御内容は、前記着信検出手段によって検出された着信に対応する発信者との音声による通信処理を一定時間保留する制御内容を含むことを特徴とする請求項４又は５に記載の携帯電話。
【請求項７】
前記制御手段による制御内容は、前記一定時間の保留について、その動作を更に延長させる制御内容を含むことを特徴とする請求項６に記載の携帯電話。
【請求項８】
コンピュータを
画像圧縮伸張処理プログラムの動作により処理される画像と、入力部からの入力に対応する、前記画像圧縮伸張処理プログラムの動作を制御するための制御内容とを表示部に表示させる第１の表示制御手段、
無線により着信を検出する着信検出手段、
前記第１の表示制御手段によって前記表示手段が制御されているときに、前記着信検出手段によって着信が検出されると、前記第１の表示制御手段によって表示されている制御内容を当該着信検出に対応する制御内容に変更する変更手段、
この変更手段によって変更された制御内容に対応して、前記入力部からの入力を検出すると、この検出された入力に対応する前記変更された制御内容に基づいて、前記画像圧縮伸張処理プログラムの動作を制御する制御手段
として機能させることを特徴とする表示制御プログラム。
【手続補正２】
【補正対象書類名】明細書
【補正対象項目名】発明の名称
【補正方法】変更
【補正の内容】
【発明の名称】携帯電話、及び、表示制御プログラム
【手続補正３】
【補正対象書類名】明細書
【補正対象項目名】０００１
【補正方法】変更
【補正の内容】
【０００１】
本発明は、携帯電話、及び、表示制御プログラムに関する。
【手続補正４】
【補正対象書類名】明細書
【補正対象項目名】０００４
【補正方法】変更
【補正の内容】
【０００４】
本発明の課題は、撮影動作等による画像表示の際、予期しない着信検出があっても、ユーザにとって理解しやすい応答動作をガイダンスすることができる携帯電話、及び、表示処理プログラムを提供することにある。
【手続補正５】
【補正対象書類名】明細書
【補正対象項目名】０００５
【補正方法】変更
【補正の内容】
【０００５】
請求項１記載の発明は、入力手段と、画像圧縮伸張処理プログラムの動作により処理される画像と、前記入力手段による入力に対応する、前記画像圧縮伸張処理プログラムの動作を制御するための制御内容とを前記表示手段に表示させる第１の表示制御手段と、無線により着信を検出する着信検出手段と、前記第１の表示制御手段によって前記表示手段が制御されているときに、前記着信検出手段によって着信が検出されると、前記第１の表示制御手段によって表示されている制御内容を当該着信検出に対応する制御内容に変更する変更手段と、この変更手段によって変更された制御内容に対応して、前記入力手段による入力を検出すると、この検出された入力に対応する前記変更された制御内容に基づいて、前記画像圧縮伸張処理プログラムの動作を制御する制御手段とを備えたことを特徴とする。
【手続補正６】
【補正対象書類名】明細書
【補正対象項目名】０００６
【補正方法】変更
【補正の内容】
【０００６】
請求項２記載の発明は、上記請求項１記載の発明において、撮像手段を更に備え、前記画像圧縮伸張プログラムは、その動作により前記撮像手段によって撮像された画像を処理することを特徴とする。
【手続補正７】
【補正対象書類名】明細書
【補正対象項目名】０００７
【補正方法】変更
【補正の内容】
【０００７】
請求項３記載の発明は、上記請求項２記載の発明において、前記制御手段による制御内容は、前記撮像手段による撮像動作を中断させる制御内容を含み、前記制御手段によって撮像動作が中断されるまでの前記撮像動作による撮像データを記憶する記憶手段を更に備えたことを特徴とする。
【手続補正８】
【補正対象書類名】明細書
【補正対象項目名】０００８
【補正方法】変更
【補正の内容】
【０００８】
請求項４記載の発明は、上記請求項１乃至３の何れかに記載の発明において、前記着信検出手段は音声着信を検出し、前記変更された制御内容は、音声通話処理に対応する制御内容を含むことを特徴とする。
【手続補正９】
【補正対象書類名】明細書
【補正対象項目名】０００９
【補正方法】変更
【補正の内容】
【０００９】
請求項５記載の発明は、上記請求項１乃至４の何れかに記載の発明において、前記着信検出手段によって着信が検出されると、この検出された着信に対応する発信者情報を前記画像と共に表示するよう前記表示手段を制御する第２の表示制御手段を更に備えたことを特徴とする。
【手続補正１０】
【補正対象書類名】明細書
【補正対象項目名】００１０
【補正方法】変更
【補正の内容】
【００１０】
請求項６記載の発明は、上記請求項４又は５に記載の発明において、前記制御手段による制御内容は、前記着信検出手段によって検出された着信に対応する発信者との音声による通信処理を一定時間保留する制御内容を含むことを特徴とする。
【手続補正１１】
【補正対象書類名】明細書
【補正対象項目名】００１１
【補正方法】変更
【補正の内容】
【００１１】
請求項７記載の発明は、上記請求項６に記載の発明において、前記制御手段による制御内容は、前記一定時間の保留について、その動作を更に延長させる制御内容を含むことを特徴とする。
請求項８記載の発明は、コンピュータを、画像圧縮伸張処理プログラムの動作により処理される画像と、入力部からの入力に対応する、前記画像圧縮伸張処理プログラムの動作を制御するための制御内容とを表示部に表示させる第１の表示制御手段、無線により着信を検出する着信検出手段、前記第１の表示制御手段によって前記表示手段が制御されているときに、前記着信検出手段によって着信が検出されると、前記第１の表示制御手段によって表示されている制御内容を当該着信検出に対応する制御内容に変更する変更手段、この変更手段によって変更された制御内容に対応して、前記入力部からの入力を検出すると、この検出された入力に対応する前記変更された制御内容に基づいて、前記画像圧縮伸張処理プログラムの動作を制御する制御手段として機能させることを特徴とする。
【手続補正１２】
【補正対象書類名】明細書
【補正対象項目名】００１２
【補正方法】変更
【補正の内容】
【００１２】
本発明によれば、画像表示中に予期しない着信があった場合、画像と共に表示されている制御内容が応答処理内容に切り替わるので、ユーザに撮影動作を継続させつつも着信時の応答処理内容を理解しやすく表示させることができる。
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】